(57)【特許請求の範囲】
【請求項１】
扉に設けられた長尺状の錠箱と、この錠箱内に設けられ、操作手段の操作力又は／及び駆動源の駆動力により施錠方向及び解錠方向へ回動するダルマと、このダルマの回動に基づいて錠箱から進退動するデッドボルトと、錠箱内に設けられかつ錠前の施・解錠状態を検出する検出装置とを含む建具用錠前に於いて、前記検出装置は、錠箱に回転自在に軸支されると共に周端部の一部に当り部を有する回転体と、この回転体の近傍に配設された一つのフォトセンサーと、該フォトセンサーに対して、その長片部分の先端が遮蔽状態に接近乃至離れて該遮蔽状態を解消するように、一方、その短片部分の端部が前記当り部と押圧状態で係脱するように中間部寄りの部位が軸支されたテコ式スイッチ片とから成り、前記テコ式スイッチ片は、その長片部分の先端が前記フォトセンサーから離れるようにバネ端支持部が付勢バネにより付勢されている建具用錠前。
【請求項２】
請求項１に於いて、建具用錠前は電気錠であると共に、また回転体は歯車体であり、検出装置の一部を構成する部材のみならず、駆動源の駆動力を他の部材に伝達するための動力伝達手段の一部を構成していることを特徴とする建具用錠前。
【請求項３】
請求項１に於いて、長尺状の錠箱内には、駆動源の駆動力を伝達する動力伝達手段が配設され、歯車体は該動力伝達手段としての歯車群を構成する一つの小歯車の軸に揺動自在に軸支されていることを特徴とする建具用錠前。
【請求項４】
扉に設けられた長尺状の錠箱と、この錠箱内に設けられ、操作手段の操作力又は／及び駆動源の駆動力により施錠方向及び解錠方向へ回動するダルマと、このダルマの回動に基づいて錠箱から進退動するデッドボルトと、錠箱内に設けられかつ錠前の施・解錠状態を検出する検出装置とを含む建具用錠前に於いて、前記検出装置は、周端部の一部に当り部を有する回転体としての前記ダルマと、このダルマの近傍に配設された一つのフォトセンサーと、該フォトセンサーに対して、その長片部分の先端が遮蔽状態に接近乃至離れて該遮蔽状態を解消するように、一方、その短片部分の端部が前記当り部と押圧状態で係脱するように中間部寄りの部位が軸支されたテコ式スイッチ片とから成り、前記テコ式スイッチ片は、その長片部分の先端が前記フォトセンサーから離れるようにバネ端支持部が付勢バネにより付勢されている建具用錠前。
【発明の詳細な説明】
【技術分野】
【０００１】
本発明は建具用錠前に関し、特に、施錠状態、解錠状態、連続解錠状態等の状態信号を検出する検出装置を備えた建具用錠前に関する。
【背景技術】
【０００２】
特許文献１の図８には、「電気錠の駆動箱に回動可能に支承された駆動軸に、センサー用識別部を有する回転板を一体的に設け、一方、前記回転体の外面に対して配設され、かつ前記センサー用識別部の位置状態を検出するフォトセンサーを備えているセンサー支持体を駆動箱内に固定し、前記駆動箱内或いは駆動箱外の箇所に前記フォトセンサーから出力された検知信号を取得して前記駆動モータを駆動制御する制御部を設けた電気錠の駆動軸駆動機構の制御装置」が記載されている。
【０００３】
この特許文献１は、出願人が次の理由から貴庁に提案したものである。すなわち、電気錠の施・解錠状態（具体的には、デッドボルトの位置、サムターン摘みのポジション位置等）を検知する場合に於いて、接触型スイッチの可動接片を用いる方式は、安定した位置検出及び駆動箱内の省スペース化を両立するという発明の課題を十分に達成することができないことから、駆動モータ用の駆動停止信号を安定的に取得する、駆動箱内の省スペースを有効的に活用する、駆動箱内へセンサーを容易に組込みこむことができる等の諸問題を十分に解決することである。
【０００４】
ところで、建具用錠前の錠箱は、例えば扉の自由端部に取り付けられるので、普通一般に上下方向に長く、扉の厚み方向である前後方向の幅は非常に狭い。そして、この長尺状錠箱の内部空間には、例えば電気錠であれば、駆動源としての駆動モータ、電気錠用プリント基板、動力伝達手段、クラッチ機構、錠前の施・解錠に関する状態信号検出装置、ダルマ、デッドボルト等の施・解錠機構を構成する各部材や部品を組み込むので、内部空間を有効的に活用することが求められる。そこで、現在、この種の錠箱が、普通一般に前後方向の幅が狭く、内部空間に余裕がないことを前提として、前記状態信号検出装置の工夫が要望されている。
【先行技術文献】
【特許文献】
【０００５】
【特許文献１】特開２００９−２２１６９０号公報の図８
【発明の概要】
【発明が解決しようとする課題】
【０００６】
本願発明の所期の目的は、内部空間の前後方向の幅に比較的余裕がない長尺状錠箱に、錠前の状態信号を取得することができる検出装置を組み込むことができると共に、スイッチ片の長片部分の先端部の位置変位の範囲を拡大して錠前の状態信号を確実に取得することである。第２の目的は、フォトセンサーに対して、スイッチ片が確実に接近乃至離れることである。また、極力、部品点数を少なくすると共に、内部空間の所望する箇所にスイッチ片を配設することができることである。
【課題を解決するための手段】
【０００７】
本発明の建具用錠前は、扉に設けられた長尺状の錠箱と、この錠箱内に設けられ、操作手段の操作力又は／及び駆動源の駆動力により施錠方向及び解錠方向へ回動するダルマと、このダルマの回動に基づいて錠箱から進退動するデッドボルトと、錠箱内に設けられかつ錠前の施・解錠状態を検出する検出装置とを含む建具用錠前に於いて、前記検出装置は、錠箱に回転自在に軸支されると共に周端部の一部に当り部を有する回転体と、この回転体の近傍に配設された一つのフォトセンサーと、該フォトセンサーに対して、その長片部分の先端が遮蔽状態に接近乃至離れて該遮蔽状態を解消するように、一方、その短片部分の端部が前記当り部と押圧状態で係脱するように中間部寄りの部位が軸支されたテコ式スイッチ片とから成り、前記テコ式スイッチ片は、その長片部分の先端が前記フォトセンサーから離れるようにバネ端支持部が付勢バネにより付勢されている。
【０００８】
また、本発明の建具用錠前は、扉に設けられた長尺状の錠箱と、この錠箱内に設けられ、操作手段の操作力又は／及び駆動源の駆動力により施錠方向及び解錠方向へ回動するダルマと、このダルマの回動に基づいて錠箱から進退動するデッドボルトと、錠箱内に設けられかつ錠前の施・解錠状態を検出する検出装置とを含む建具用錠前に於いて、前記検出装置は、周端部の一部に当り部を有する回転体としての前記ダルマと、このダルマの近傍に配設された一つのフォトセンサーと、該フォトセンサーに対して、その長片部分の先端が遮蔽状態に接近乃至離れて該遮蔽状態を解消するように、一方、その短片部分の端部が前記当り部と押圧状態で係脱するように中間部寄りの部位が軸支されたテコ式スイッチ片とから成り、前記テコ式スイッチ片は、その長片部分の先端が前記フォトセンサーから離れるようにバネ端支持部が付勢バネにより付勢されている。
【発明の効果】
【０００９】
（ａ）一つのフォトセンサーを用いたので、内部空間の前後方向の幅に比較的余裕がない長尺状の錠箱に、建具用錠前の状態信号を取得することができ検出装置を容易に組み込むことができると共に、スイッチ片の長片部分の先端の移動する範囲を拡大させて、前記状態信号を確実に取得することができる。また、付勢バネを設けたので、フォトセンサーに対して、接近乃至離れる。さらに、必ずしもスイッチ片の重心や形状に捉われず、該スイッチ片の形状を自由に設計してスイッチ片を確実に開閉させることができると共に、信号発生器（フォトセンサー）の部品点数を少なくすることができる。
（ｂ）請求項２に記載の発明は、建具用錠前は電気錠であると共に、また回転体は歯車体なので、長尺状の錠箱の内部空間を有効的に活用することができる最適な実施形態である。
（ｃ）
（ｄ）請求項３に記載の発明は、部品点数を少なくすることができる。
（ｅ）請求項４に記載の発明は、電気錠でない、普通一般の機械式錠前にも適用することができる。
【図面の簡単な説明】
【００１０】
図１乃至図５は、本発明の第１実施形態を示す各説明図。図６は第２実施形態の説明図。図７乃至図１０は第３実施形態の各説明図。図１１及び図１２は第４実施形態の各説明図。
【図１】本発明の主要部を適用した電気錠の概念図。
【図２】施錠状態の概略説明図。
【図３】解錠状態の概略説明図。
【図４】検出装置Ｙの主要部を分解的に示した概略説明図。
【図５】解錠状態から施錠状態になった場合の概略説明図。
【図６】第２検出装置Ｙ１を加味した第２実施形態の図２と同様の図（第２実施形態）。
【図７】本発明の第３実施形態を示す図２と同様の説明図（施錠状態）。
【図８】解錠状態から施錠状態へ移行する作用の説明図。
【図９】解錠状態の説明図。
【図１０】施錠状態から解錠状態へ移行する作用の説明図。
【図１１】本発明の第４実施形態を示す図２と同様の説明図。
【図１２】第４実施形態の作用を示す説明図。
【発明を実施するための最良の形態】
【００１１】
（１）環境部材
図１は本発明の主要部を適用した電気錠の概略説明図（概念図）である。図２は図１に示した電気錠の一例を示す概略説明図である（なお、図２は本発明の主要部のみを示し、クラッチ機構等は省略している）。
【００１２】
まず、これらの図に於いて、Ｘは電気的にも機械的にもデッドボルト（以下、「デッド」という。）が出没可能な電気錠、１は戸枠、２は受け具、３は開閉体としての扉、４は長尺状の錠箱、６は制御部、７はコネクタを含む配線手段、８は電気錠制御用プリント基板、９はフロント板４ａに形成した開口、１０は電気的駆動源（例えば駆動モータ）、１１は後述する回転体（検出装置を構成する歯車体）を含む動力伝達手段、１２は動力伝達手段側からの動力を伝達又は後述するダルマ側からの動力を切断するクラッチ機構、そして、Ｙは電気錠Ｘの施・解錠状態に関する状態信号を検出する検出装置、１３はダルマ、１４はダルマの回動に基づいて前記錠箱４の開口９から進退動するデッドである。
【００１３】
次に、図１に於いて、制御部６は出力部１５を有し、該出力部１５には表示部１６が電気的に接続している。また、制御部６には解錠信号発生手段１７や図示しないモード切換手段等も電気的に接続している。制御部６は、例えば室内の適宜箇所に配設された住宅用電気錠操作盤の操作パネルに設けられ、該操作パネルは図示しない連続解錠用ボタン、自動施錠用ボタン、一回解錠用ボタン等の複数固の操作ボタンを有している。これらの信号処理の関しては本発明の特定要件ではないので、詳細な説明は割愛する。
【００１４】
さて、制御部６は錠箱４内のプリント基板８側から施錠状態、解錠状態等の状態信号を取得し、一方、プリント基板８側に駆動モータ１０用の起動信号や停止信号を送信する。したがって、例えば起動信号に基づいて電気的駆動源１０が駆動すると、動力伝達手段１１は所定方向に回転し、その結果、後述の検出装置Ｙを構成する回転体の一例としての歯車体２０が所要量回転する。本発明は、前記検出装置Ｙに特徴がある。
【００１５】
（２）本発明の前提要件
本発明の建具用錠前Ｘは、扉３に設けられた長尺状の錠箱４と、この錠箱４内に設けられ、操作手段（キーやサムターン摘み）の操作力又は／及び駆動源（例えば駆動モータ、駆動バネ等）１０の駆動力により施錠方向及び解錠方向へ回動するダルマ１３と、このダルマの回動に基づいて前記錠箱４から進退動するデッド１４と、錠箱４内に設けられかつ錠前の施・解錠状態を検出する検出装置Ｙとを含むことが前提要件である。そして、本発明の建具用錠前Ｘは、望ましくは、多数の部材や部品が長尺状の錠箱４の内部空間に組み込まれる電気錠に適用される。
【００１６】
（３）本発明の特徴事項
本発明の特徴事項は、扉の厚み方向に相当する前後方向の幅が非常に狭く、内部空間に余裕がない長尺状の錠箱４に組み込まれた検出装置Ｙである。
【００１７】
しかして、検出装置Ｙは、施錠状態の図２、解錠状態の図３等で示すように、長尺状の錠箱４に回転自在に軸支されると共に周端部の一部に当り部を有する回転体（例えば歯車体）２０と、この歯車体に近傍に配設された状態信号検出手段としてのフォトセンサー２１と、該フォトセンサーに対して、その長片部分の先端部が接近乃至離れるように、一方、その短片部分の後端部が前記当り部と係脱するように中間部が軸支されたスイッチ片２３とから成り、望ましくは、該スイッチ片の前記長片部分の先端部が前記フォトセンサーから離れる方向へ付勢する付勢バネ２４を含む。
【００１８】
付言すると、本発明の建具用錠前Ｘは、  扉に設けられた長尺状の錠箱４と、この錠箱内に設けられ、操作手段の操作力又は／及び駆動源の駆動力により施錠方向及び解錠方向へ回動するダルマと、このダルマの回動に基づいて錠箱から進退動するデッドボルト１４と、錠箱内に設けられかつ錠前の施・解錠状態を検出する検出装置Ｙとを含む建具用錠前に於いて、前記検出装置Ｙは、錠箱４に回転自在に軸支されると共に周端部の一部に当り部３２を有する回転体２０と、この回転体の近傍に配設された一つのフォトセンサー２１と、該フォトセンサーに対して、その長片部分２３ａの先端が遮蔽状態に接近乃至離れて該遮蔽状態を解消するように、一方、その短片部分２３ｂの端部が前記当り部と押圧状態で係脱するように中間部寄りの部位２３ｃが軸支されたテコ式スイッチ片２３とから成り、前記テコ式スイッチ片２３は、その長片部分２３ａの先端が前記フォトセンサー２１から離れるようにバネ端支持部３９が付勢バネ２４により付勢されている。
【００１９】
（４）検出装置Ｙの具体的構成
図４は検出装置Ｙの主要部を分解的に示した概略説明図、図５は解錠状態から施錠状態になった場合の概略説明図である。これらの図に於いて、まず、３１は歯車体２０の中心軸で、この中心軸３１は錠箱に横設軸架されている。３２は歯車体２０の周端部の一部に設けられた当り部で、本実施形態では、当り部３２は短柱状の突起で、その外周面は円形である。もちろん、当り部３２の形状は発明の目的を逸脱しない範囲内で、五角形、六角形等の多角形にし、又は半円弧状の突起に形成することも出来る。
歯車体２０は、前述したように、本実施形態では、検出装置Ｙの一部を構成する部材のみならず、駆動モータ１０の駆動力を直接又は間接的に他の部材に伝達するための動力伝達手段１１の一部を構成している。
【００２０】
次に、状態信号検出手段としてのフォトセンサー２１は、歯車体２０の近傍に配設されている。本実施形態では、図２及び図３で示すように、電気錠制御用プリント基板８の下端部側に一体的に又は別体にセンサー基板３５を介して錠箱４の一側内壁面に固定されている。
【００２１】
フォトセンサー２１は、周知のように、発光側（ＬＥＤ）の側壁部２１ａと、該発光側の側壁部に所定間隙ａを有して対向する受光側（フォトトランジスタ）の側壁部２１ｂとを有している。ここで「状態信号」とは、解錠状態、施錠状態、連続解錠状態等をいう。具体的には、例えばデッド１４が錠箱４の開口９から完全に突出した状態（その状態を「原点位置」とする。）、デッド１４が錠箱４内に完全に後退した状態である。したがって、本実施形態のフォトセンサー２１は、錠前の状態信号を検出するものである。
【００２２】
次に、スイッチ片２３は、その中間部寄りの部位が支軸３６を介して揺動自在に軸支されている。本実施形態では、前記支軸３６は、動力伝達手段１１としての歯車群を構成する一つの小歯車１１ａの軸と兼用している。
【００２３】
しかして、スイッチ片２３は、「テコの原理」を応用したものであり、例えば図５の支軸３６を基準にすると、図面上左側の人差し指状に延びた長片部分２３ａの先端部は、フォトセンサー２１の発光側（ＬＥＤ）と受光側（フォトトランジスタ）に対して、互いを遮蔽するように接近乃至遮蔽状態を解消するように離れることが可能であり、一方、図面上右側の親指状の短片部分２３ｂの端部は、歯車体２０の周端部の小突起状当り部３２と係脱することが可能である。
【００２４】
ところで、本実施形態では、テコ式スイッチ片２３の中間部寄りの部位には、前述した支軸３６用の軸孔２３ｃが形成されている。また、長片部分２３ａの先端部には、そのややは幅広の下端部がフォトセンサー２１の所定間隙ａに入り込み乃至出たりすることができる細長状の遮蔽突片３８が一体的に設けられている。そして、該細長状の遮蔽突片３８の上端部には、長片部分２３ａに直交して水平方向に延在する棒状のバネ端支持部３９が形成されている。
【００２５】
最後に、テコ式スイッチ片２３を所定方向へ付勢する付勢バネ２４は、その中央部分２４ａが錠箱内の固定支軸４１に巻装され、一端部２４ｂは錠箱内の支持ピン４２に支持され、他端部２４ｃは前述の棒状バネ端支持部３９に圧接している。付言すると、本実施形態では、付勢バネ２４は、テコ式スイッチ片２３の長片部分の先端部の遮蔽突片３８がフォトセンサー２１から離れる方向へと付勢している。
【００２６】
（５）作用
本実施形態では、歯車体２０が回転することにより、その当り部３２がテコ式スイッチ片２３の短片部分２３ｂの端部に接離する結果、フォトセンサー２１が「ＯＮ」、「ＯＦＦ」の状態信号を検知することができる。
【００２７】
すなわち、図２は施錠状態の概略説明図であるが、このように解錠状態から施錠状態になった場合を図５で示す。解錠状態（図３を参照）では、歯車体２０の当り部３２はテコ式スイッチ片２３の短片部分２３ｂの端部から離れるので、テコ式スイッチ片２３は付勢バネ２４のバネ力により、フォトセンサー２１の所定間隙ａから離れる。
【００２８】
これに対して、施錠状態（図２を参照）では、歯車体２０の当り部３２はテコ式スイッチ片２３の短片部分２３ｂの端部の内面を押圧しながら接触するので、テコ式スイッチ片２３は支軸３６を支点として、かつ、付勢バネ２４のバネ力に抗して矢印で示す方向へと回転し、その長片部分の先端部の遮蔽突片３８がフォトセンサー２１の所定間隙ａに入り込む。このような作用は、特に図示しないが、施錠状態（図２を参照）から解錠状態（図３を参照）にモードが切り換る場合も同様である。
【実施形態】
【００２９】
まず、図６は第２検出装置Ｙ１を加味した第２実施形態の図２と同様の図である。この第２実施形態では、直線的に往復動する摺動部材、例えばデッド１４の中央部乃至後端部の一側壁に突起状の当り部３２Ａを設け、第１実施形態の検出装置Ｙと同一構成の第２検出装置Ｙ１を、前記デッド１４よりも下方の空間部分に組み込んだものである。なお、第２検出装置Ｙ１の具体的構成の説明は割愛する。
【００３０】
次に、図７乃至図１０は本発明の第３実施形態を示す検出装置Ｙ２である。第１実施形態の検出装置Ｙは、テコ式スイッチ片２３の長片部分２３ａの先端がフォトセンサー２１から離れる方向へ付勢する付勢バネ２４を含むが、この検出装置Ｙ２では、前記テコ式スイッチ片２３の重心・形状等に工夫をすることにより、前記付勢バネ２４を、発明の特定要件とはしていない。
【００３１】
しかして、（ａ）この検出装置Ｙ２の回転体としての歯車体２０Ｂは、その一側表面に合計２個の当り部３２ａ、３２ｂを周方向に、例えば略４５度の間隔を隔てて有している点、（ｂ）テコ式スイッチ片２３Ｂは、その長片部分２３ａの重心が支軸３６よりもフォトセンサー２１に位置する指状の形状であり、しかも、前記長片部分２３ａのフォトセンサー２１が位置する反対側の一辺は、適宜に切欠４５されている点、（ｃ）歯車体２０Ｂの回転範囲が、例えば第１実施形態の歯車体より少なく、合計２個の当り部３２ａ、３２ｂが選択的にテコ式スイッチ片２３Ｂの短片部分２３ｂの端部に当接する点である。
上記のように構成すると、図示しないテコ式スイッチ片２３Ｂ用のストッパーピンや付勢バネを設けることなく、本発明の第１実施形態と同一の目的（例えば、少なくとも、一つの状態信号を確実に取得すること。）を達成することができる。
【００３２】
そこで、図８を参照にして、施錠状態に成る場合の作用を説明すると、（ａ）解錠状態の時、この実施例では、テコ式スイッチ片２３Ｂの長片部分２３ａがフォトセンサー２１の隙間ａに完全に入り込んでいる。そこで、歯車体２０Ｂが、今仮に矢印で示す反時計方向へと回転し始めると、ハッチングで示した左側の当り部３２ｂがテコ式スイッチ片２３Ｂの短片部分２３ｂの端部から離れ、一方、非ハッチングの右側の当り部３２ａが前記短片部分２３ｂの端部へと接近する。この場合、途中状態の時、テコ式スイッチ片２３Ｂの長片部分２３ａは、まだフォトセンサー２１の隙間ａに完全に入り込んだままである。そして、一番右側の図で示すように、やがて前記右側の当り部３２ａが前記短片部分２３ｂの端部に当って押圧すると、テコ式スイッチ片２３Ｂは支軸３６を支点にして、矢印で示すように時計方向へと回転し、その長片部分２３ａがフォトセンサー２１の隙間ａから離れる。したがって、施・解錠状態に関する施錠状態を所望する時点で確実に取得することができる。
【００３３】
（ｂ）図９は解錠状態を示す説明図である。図１０は施錠状態から解錠状態へと移行する場合の作用の一例を示す説明図である。施錠状態から解錠状態へと移行する場合は、図８の態様と逆に成る。但し、その中途状態の時に、テコ式スイッチ片２３Ｂの長片部分２３ａがフォトセンサー２１の隙間ａに完全に入り込んでしまう点が、第１実施例とは若干異なる。
【００３４】
なお、上記の第３実施形態に於いて、長片部分２３ａのフォトセンサー２１が位置する反対側の一辺に適宜に切欠４５しているが、該切欠４５は発明の本質的事項ではない。その理由は、例えば支軸３６を金属材で成形され、一方、テコ式スイッチ片２３Ｂが硬質の合成樹脂材で成形されており、前記支軸３６の外周面とテコ式スイッチ片２３Ｂの軸孔２３ｃの内周面とが互いに摩擦するような構成であれば、テコ式スイッチ片２３は、どの回転位置でも「静止状態」を維持することができるので、上述した（ｂ）の態様の場合であっても、所望する位置にて解錠信号を取得することができる。
【００３５】
最後に、図１１及び図１２は本発明の第４実施形態を示す。この第４実施形態の構成は第１実施例形態のそれと同一なので、説明の便宜上、第１実施例形態の符号をそのまま援用している。
【００３６】
しかして、この第３実施形態の建具用錠前Ｘ１は、扉に設けられた長尺状の錠箱４と、この錠箱内に設けられ、操作手段の操作力又は／及び駆動源の駆動力により施錠方向及び解錠方向へ回動するダルマ１３と、このダルマの回動に基づいて錠箱から進退動するデッドボルト１４と、錠箱内に設けられかつ錠前の施・解錠状態を検出する検出装置とを含む建具用錠前に於いて、前記検出装置は、周端部の一部に当り部を有する回転体としての前記ダルマ１３と、このダルマの近傍に配設された一つのフォトセンサー２１と、該フォトセンサーに対して、その長片部分２３ａの先端が遮蔽状態に接近乃至離れて該遮蔽状態を解消するように、一方、その短片部分２３ｂの端部が前記当り部３２と押圧状態で係脱するように中間部寄りの部位２３ｃが軸支されたテコ式スイッチ片２３とから成り、前記テコ式スイッチ片２３は、その長片部分２３ａの先端が前記フォトセンサー２１から離れるようにバネ端支持部３９が付勢バネ２４により付勢されている。
【００３７】
この第４実施形態から明らかなように、本発明の本質的事項は、長尺状の錠箱４の内部空間に検出装置Ｙを組み込んだことであり、該検出装置Ｙの回転体は、その全周又は一部にギヤを有する歯車体、或いは該歯車体とは別個のダルマ１３であっても良い。したがって、建具用錠前は一例であり、図面に示した構成の電気錠に限定するものではない。
【産業上の利用可能性】
【００３８】
錠前や建具の分野で利用される。
【符号の説明】
【００３９】
Ｘ、Ｘ１…建具用錠前、Ｙ、Ｙ２…検出装置、１…戸枠、２…受け具、３…扉、４…錠箱、６…制御部、８…電気錠制御用プリント基板、９…開口、１１…動力伝達手段、１１ａ…小歯車、１３…ダルマ、１４…デッドボルト（デッド）、２０…歯車体、２１…フォトセンサー、２１ａ…発光側の側壁部、ａ…隙間、２１ｂ…受光側の側壁部、ａ…所定間隙、２３、２３Ｂ…スイッチ片（揺動片）、２３ａ…長片部分、２３ｂ…短片部分、３１…中心軸、３２、３２ａ、３２ｂ…当り部、３５…センサー基板、３６…支軸、３８…遮蔽突片、３９…バネ端支持部、４５…切欠。
【図１】
0005713639.tif 000002
【図２】
0005713639.tif 000003
【図３】
0005713639.tif 000004
【図４】
0005713639.tif 000005
【図５】
0005713639.tif 000006
【図６】
0005713639.tif 000007
【図７】
0005713639.tif 000008
【図８】
0005713639.tif 000009
【図９】
0005713639.tif 000010
【図１０】
0005713639.tif 000011
【図１１】
0005713639.tif 000012
【図１２】
0005713639.tif 000013